Podtech/llm-jp-corpus-v4-ja_patent huggingface dataset:
(57)【要約】【課題】  従来の測量ピンは土地の境界線上もしくは、埋設している道路上に目印として杭を打ち込み明示する形態のものであり、境界線上が沼地、河川の場合及び市道・県道・国道など公共の道路上の場合には使用できず、誰でも簡単に明示する方法が無かった。これらの点を解決することを課題とする。【解決手段】  この課題を解決するため道路上は勿論、電柱・路側帯・壁面に取り付けられるように杭止めまたは裏面を粘着シールにして、本体に属性情報及び数字を貼り付け、離れたところに設置できそれを確認しただけで、誰でも巻尺一つで境界線及び埋設物のポイントが認識でき、この課題を解決する。【選択図】図２
2006215010.tif 000002
【特許請求の範囲】
【請求項１】
道路・地面及びポ−ル・電信柱に密着して取り付けられる数字および属性情報を表示できることを特徴とする数値表示測量ピン。
【請求項２】
シール状のものに数字を埋め込む又は書き込んで、ある任意の場所を表示することを特徴とする数値表示測量ピン。
【請求項３】
箱状のものに数字を埋め込む又は書き込んで、ある任意の場所を表示することを特徴とする数値表示測量ピン。
【発明の詳細な説明】
【技術分野】
【０００１】    本発明は、測量ピンに関するものであり、測量ピンに数値および記号を明記することにより、目標地点から離れた場所に設置することができる。また、測量機器を使わずに巻尺一つで目標地点および情報を的確に掌握できるものである。
【背景技術】
【０００２】  最近では、測量用杭にＩＣチップを埋め込んだものもあり、技術革新が進んでいる例として、特許文献１に開示されているものがある。
【特許文献１】  特開２０００−１８９４７  特開２００４−２５１８５９
【発明の開示】
【発明が解決しようとする課題】
【０００３】  従来の測量ピンは土地の境界線上もしくは、埋設している道路上に目印として杭を打ち込み明示する形態のものであり、境界線上が沼地、河川の場合及び市道・県道・国道など公共の道路上の場合には使用できず、誰でもが簡単に明示する方法が無かった。これらの点を解決することを課題とする。
【課題を解決するための手段】
【０００４】  この課題を解決するための請求項１の発明は、道路上は勿論、電柱・路側帯・壁面に取り付けられるように杭止めまたは裏面を粘着シールにて、数値および記号を明示することにより、誰でも簡単に離れたところの目標地点及び属性情報を指し示すことができる。【０００５】  また請求項２の発明は壁面・電信柱・ポールなどに貼り付けるもので、測量ピン自体に厚みがあると歩行者や車椅子の通行に支障をきたすため。薄いシ−ル状にして通行に差しさわりがなく任意の場所に設置でき、数値を明示することにより、離れたところの目標地点及び属性情報を指し示すことができる。【０００６】  また請求項３の発明は路側帯・歩道側壁・家屋基礎などに貼り付けるもので、厚みがあり所在確認が容易である。また、人や自転車に踏まれても破損しないよう丈夫に作ることが出来、数値を明示することにより、離れたところの目標地点及び属性情報を指し示すことができる。
【発明の効果】
【０００７】  本発明により、境界線及び目標ポイントが沼地、河川の場合及び市道・県道・国道など公共の道路上の場合には簡単に測量杭が使用できず図面及び、地図の上に明示する方法が取られているが、埋設物の位置が特定できなかった。この発明により任意の場所に設置が出来て、河川・沼地・公道上など測量ピンの使用できない目標地点をも正確に簡単に誰でも目標表示することができる。
【発明を実施するための最良の形態】
【０００８】  図１はシ−ル状の数値表示測量ピンの本体で薄い形状を特徴としている。  使用に際しては場所をとらず何処にでも設置が出来、通行の妨げにならない形状をしている【０００９】  図２はシール状の数値表示測量ピン本体に埋め込む属性情報のプレ−トである。Ｗ２４５は、Ｗはウォーター・２４５は２ｍ４５ｃｍを意味している。
これにより数値表示測量ピン設置場所より矢印の方向２ｍ４５ｃｍのところに水道管が埋設されていることが確認できる。【００１０】  図３は箱状の数値表示測量ピンの本体で丈夫な形状で上や横からの圧力に強いことを特徴としている。使用に際しては人や車の通行するところにも設置できることを目的としている。【００１１】  図４は箱状の数値表示測量ピン本体に埋め込む属性情報のプレ−トである。ＧＥ２４５は、Ｇはガス・Ｅは電気・２４５は２ｍ４５ｃｍを意味している。
これにより数値表示測量ピン設置場所より矢印の方向２ｍ４５ｃｍのところにガス管と電気線が埋設されていることが確認できる。
【産業上の利用可能性】
【００１２】  本発明に係る数値表示測量ピンは、工業的に量産することが可能であるため、産業上の利用可能性を有する。
【図面の簡単な説明】
【００１３】
【図１】  シール上の数値表示測量ピンでどこにでも貼り付けることができ、数字及びアルファベット等のチップを埋め込むくぼみがあいている。また方向性を示す矢印が付いてある。
【図２】  シール状の数値表示測量ピンに埋め込む表示チップで裏が粘着性のあるものを使用することにより簡単に本体に貼り付けることが出来る。
【図３】  箱型の数値表示測量ピンで頑丈に作ることが出来、車や人に踏まれても破損することが無い。釘止め、粘着性のあるもので固定する。
【図４】  箱型の数値表示測量ピンに底部より差し込むように使用する。
【符号の説明】
【００１４】  １  シール状の数値表示測量ピンの本体
２  数字及び記号を付した粘着シールになっている薄型の埋め込みチップ
３  箱型の数値表示測量ピンの本体
４  ブロックになっている数字及び記号を付した差込チップ
【図１】
2006215010.tif 000003
【図２】
2006215010.tif 000004
【手続補正書】
【提出日】平成17年4月27日(2005.4.27)
【手続補正１】
【補正対象書類名】明細書
【補正対象項目名】００１３
【補正方法】変更
【補正の内容】
【００１３】
【図１】  シール上の数値表示測量ピンでどこにでも貼り付けることができ、数字及びアルファベット等のチップを埋め込むくぼみがあいている。また方向性を示す矢印が付いてある。  シール状の数値表示測量ピンに埋め込む表示チップは裏が粘着性のあるものを使用することにより簡単に本体に貼り付けることが出来る。
【図２】  箱型の数値表示測量ピンで頑丈に作ることが出来、車や人に踏まれても破損することが無い。釘止め、粘着性のあるもので固定する。  箱型の数値表示測量ピンの表示チップは底部より差し込むように使用する。
(57)【要約】【課題】  従来は火起しと、七輪と、消壷への炭の移し替えは、火箸等でいちいち移していた。したがって不便で、料理で炭を用いるのがおっくうだった。それを解消すべく、それぞれへの炭の移し替えを簡便に行う容器を提供する。【解決手段】  底部がスノコ又は網目の耐火性金属の円筒形容器に、掛け外しの取っ手を付けることを特徴とする。【選択図】  図１
2006162232.tif 000002
【特許請求の範囲】
【請求項１】
耐火性金属の円筒に耐火性金属の網目の底を付けた、取っ手の掛け外しのできる炭入れ。
【発明の詳細な説明】
【技術分野】
【０００１】  この発明は耐火金属の円筒に、耐火金属のすのこの底を付けた構造で、炭を移す時に安全に取り上げるための掛け外し可能の取っ手をつけられる炭入れに関するものである。
【背景技術】
【０００２】  従来、七輪の炭は、炭起しでおこし、おこした炭を炭起しから金火箸にて七輪に移し、七輪での役目が終わったら残りの炭を一つ一つ金火箸で取り出し消壷に入れた。
【発明の開示】
【発明が解決しようとする課題】
【０００３】  これはつぎのような問題点があった。
火起しでおこした炭を七輪に金火箸にて移す際、火お越しの中では下のほうが火のおこりが良いのに、先に取り出し七輪の下部へ入るのはおこりの未熟な炭となってしまう。したがって、七輪へ移し終えて火力を高めるまでの効率も悪かった。かつ、七輪での料理の用を足した残りの炭を保存のため消壷に移すのに、またも金火箸で一個一個挟んで移さねばならなかった。また、小さな炭は次の火起しの際に一番火が起こりやすいのに、めんどうで七輪に取り残されて無駄に燃え尽きていた。
【課題を解決するための手段】
【０００４】  七輪の内径に治まる外径の耐火性金属の円筒に、耐火性金属のスノコ又は網目の底を着け、円筒の上部で取っ手の掛け外しできる炭入れである。
【発明の効果】
【０００５】  炭入れが炭起しとなり、火がおこったら炭入れの上部に取っ手を掛け持ち上げて、七輪にそのまま落とし込む。七輪にての用が終われば、また取っ手を掛け七輪から取り出し、そのまま消壷に収めるので、炭と炭火の効率がよく、かつ、手間が省けるので七輪の利用が簡便になる。
【発明を実施するための最良の形態】
【０００６】以下、本発明の実施例について説明する。
円筒１の底にスノコまたは網目３をつける。円筒の上部の縁を内側煮へ曲げこみ取っ手２を掛け外しできるようにする。
本発明は、以上のような構造でこれを使用する時は、炭入れの中の炭が熱いときは取っ手をとりつけて使用し、消壷に炭入れを収めた時は取っ手を取り外せばいい。
【図面の簡単な説明】
【０００７】
【図１】本発明の斜視図である。
【図２】本発明の底部である。
【図３】本発明を七輪へ落とし込んだ利用例である。
【符号の説明】
【０００８】１  炭入れの本体
２  取っ手
３  炭入れの底部
Ａ  炭
Ｂ  七輪
【図１】
2006162232.tif 000003
【図２】
2006162232.tif 000004
【図３】
2006162232.tif 000005
(57)【要約】【課題】  この暖房機具のスターターのイグニッションキーによる点火方式にすることにより暖房機具の使用を円滑にし、スイッチの押し間違えなどのミスによる誤操作を未然に防ぐ。また、寝たきりの老人などの操作を可能とする。【解決手段】  部品４（図１・図２）の点火方式の部分よる誤操作が発生しないように暖房機具との接続を本体のスターターの差し込み式とします。【選択図】  図２
2006162150.tif 000002
【特許請求の範囲】
【請求項１】
この暖房器具のスターターは、リモートコントロールに、少し離れた距離からスイッチを押すことを可能にし、誤操作のない単機能のスターターにする。
【発明の詳細な説明】
【技術分野】
【０００１】
本発明は、暖房機具のスターターをスターターの三段方式及び点火方式にすることです。
【背景技術】
【０００２】
この暖房機具のスターターは、少し離れた距離からスイッチを押すことを可能にし、誤操作のない単機能のスターターにする利点があります。
【０００３】
この改善策として、スターターの三段方式及び点火方式を使用して円滑なスタート操作ができるようにしました。
【発明の開示】
【発明が解決しようとする課題】
【０００４】
解決しようとする問題点は、この暖房機具スターターのイグニッションキーにより点火
することにより、暖房機具の使用を円滑にし、スイッチの押し間違えなどのミスによる
誤操作を未然に防ぐ。
【０００５】
また、寝たきりの老人などの操作を可能にする。
【課題を解決するための手段】
【０００６】
本発明は、部品４（図１）の点火方式の部分による誤操作が発生しないように暖房機具との
接続を本体のスターターの差し込み式とする。
【発明の効果】
【０００７】
本発明の暖房機具のスターターは、スターター単機能化によりスターターの誤操作をなくす
効果がある。
【発明を実施するための最良の形態】
【０００８】
この暖房機具のスターターを取り付けが容易で適切な値段とする。
【実施例１】
【０００９】
図１は、本発明機器の１実施例の断面図であります。
【実施例２】
【００１０】
図２は、本発明機器の２実施例の使用例であります。
【００１１】
【数１】
2006162150.tif 000003
電気の総量の増加のとび出し。
この機器の実験データサンプルをn数３００で取り、データファイルを作成します。
【産業上の利用可能性】
【００１２】
貸し出しにより、この機器の効果を見ることもできます。また、この機器の委託により、この機器の効果を見ることもできます。これらにより、この機器の正確なデータが得られます。
【図面の簡単な説明】
【００１３】
【図１】暖房機具のスターターの実施方法を示した説明図である。
【図２】暖房機具のスターターの実施方法を示した使用例である。
【符号の説明】
【００１４】
１  暖房機具のスターター
２  この機器の実施図
【図１】
2006162150.tif 000004
【図２】
2006162150.tif 000005
(57)【要約】【課題】従来の冷蔵庫の扉の形状は、手前に引いて開ける為、手前にスペースを必要とし、特に狭い場所や移動困難な者にとって開閉しにくく、奥にある収納物も姿勢の変換を余儀なくされる為、取り出しにくいものであり、又、扉側のポケットにも収納物がある為、本体の冷気の逃げを遮断する事も困難であった。以上の不便さを解決する。【解決手段】本体１を円筒形にし、扉２を取っ手８にて手前に引き出し、支部３がレール４を移動して扉２をスライドさせて開閉することで扉２と本体１との接触を避け、扉２の開閉面積の調節で冷気の逃げを最小限に抑えることができる。又、支柱６を中心にしてテーブル７を回転可能にする事で、奥の物でも手前に移動させて取り出す事が可能になり、姿勢変換の必要性が薄くなる。扉は例えば、片方向にスライドする。【選択図】図１
2006162119.tif 000002
【特許請求の範囲】
【請求項１】
本体を円筒形にし、扉と本体をつなぐ支部が本体に設置されたレールを移動して扉をスライドさせることを特徴とする冷蔵庫。
【請求項２】
前記冷蔵庫は、収納台も回転可能になるために収納物が取り出しやすくなることを特徴とする請求項１記載の冷蔵庫。
【発明の詳細な説明】
【技術分野】
【０００１】
この発明は、冷蔵庫の形状に関する。
【背景技術】
【０００２】
従来の冷蔵庫の形状は、図２に示すように、冷蔵庫本体１の形が箱型であり、扉２が手前に開くものである。
【発明の開示】
【発明が解決しようとする課題】
【０００３】
しかしながら、以上の技術によれば、扉を開けて収納物を取り出すためには使用者の移動を必要とし、そのためのスペースを取らなくてはならない。
そこで、この発明は、移動スペースの不必要性を提供することを課題とする。
【課題を解決するための手段】
【０００４】
以上の課題を解決するために、第一発明は、本体を円筒形にし、扉を手前に引き出し、支部と共にスライドさせることを特徴とする冷蔵庫である。
また、第二発明は、本体を円筒形にすることで収納台を回転させることが可能になり、収納物を取り出しやすくすることを特徴とする冷蔵庫である。
【発明の効果】
【０００５】
第一発明、または第二発明によれば、冷蔵庫の扉をスライド式にしたので、扉開閉時に使用者の移動の必要がなく、庫内のテーブルも回転可能となる為、奥の収納物も取り出しやすくなり、高齢者や身体障害者にも使いやすくなる。
【発明を実施するための最良の形態】
【０００６】
この発明の一実施形態を、図１に示す。
冷蔵庫の本体１は円柱状であり、この本体１に付いている扉２は取っ手８を使用して手前に引き出し、支部３がレール４に沿ってスライドすることにより扉２を開閉する。又、本体１には扉２を閉めた時に冷気が逃げないようゴムパッキン５が設けられ、本体１の中心に通っている支柱６を中心としてテーブル７が回転可能となる。
【０００７】
「実施形態の効果」
この実施形態によれば、扉２が横方向にスライドして開閉することで、その場での開閉が可能になり、開閉面積を少なくすれば冷気の逃げも少なくなる。又、テーブル７が回転する事で収納物を出し入れする時の姿勢の変換を少なくする事が可能となる。
【０００８】
図１の実施形態では、片方向にスライドする扉２であったが、他の実施形態では、両方向にスライドするものでも良い。
【図面の簡単な説明】
【０００９】
【図１】この発明の一実施形態を示す斜視図である。
【図２】従来技術を示す斜視図である。
【符号の説明】
【００１０】
１  冷蔵庫本体        ２  扉          ３  支部        ４  レール
５  ゴムパッキン      ６  支柱        ７  テーブル    ８  取っ手
【図１】
2006162119.tif 000003
【図２】
2006162119.tif 000004
(57)【要約】【課題】組付け前の状態で軸固定用のボルトが脱落しても部品のバラケを防止することができるようにしたアイドラプーリを提供することである。【解決手段】軸１の外周に嵌合した転がり軸受２によってプーリ３を回転自在に支持する。軸１の外周に設けたフランジ１ａと軸１の端面に取付けられるダストカバー４とで転がり軸受２の両側面を覆う。ダストカバー４の内周部に円筒部４ｃを設け、その円筒部４ｃを軸１の端面に形成された嵌合孔部５に圧入して軸１にダストカバー４を一体化し、軸固定用ボルト６が組付け前に脱落しても部品がバラバラになるのを防止する。【選択図】図１
2006162035.tif 000002
【特許請求の範囲】
【請求項１】
軸の外周に嵌合した転がり軸受によってプーリを回転自在に支持し、前記軸の外周に設けられたフランジと、軸の端面に取付けられるダストカバーによって転がり軸受の両側面を覆うようにしたアイドラプーリにおいて、前記ダストカバーの内周部に軸側に向く円筒部を設け、この円筒部を前記軸の端面に形成された嵌合孔部に圧入したことを特徴とするアイドラプーリ。
【発明の詳細な説明】
【技術分野】
【０００１】
この発明は、自動車エンジンのカム軸駆動用のタイミングベルトや補機を駆動する補機ベルトの移動を案内するアイドラプーリに関するものである。
【背景技術】
【０００２】
タイミングベルトや補機ベルトの移動を案内するアイドラプーリは、普通、軸の外周に取付けた転がり軸受によってプーリを回転自在に支持し、上記軸の外周に設けたフランジと、軸の端面に取付けられる円板状のダストカバーとによって転がり軸受の両側面を覆うようにしている。
【発明の開示】
【発明が解決しようとする課題】
【０００３】
ところで、従来から知られているアイドラプーリにおいて、軸の内側に挿入されるボルトの締付けによって軸をプーリ取付け対象に固定すると共に、その軸の端面にダストカバーを取付けるようにしており、アイドラプーリの取付け前の状態で軸固定用のボルトは軸内に挿入されていないため、製品納入時やアイドラプーリの組付け時にダストカバーが脱落することが多くあり、その脱落によってボルトの締結により一体化される部品がバラバラとなり、部品が欠落するおそれがあった。
【０００４】
この発明の課題は、組付け前に軸固定用ボルトがない状態でも部品がバラバラになるのを防止することができるようにしたアイドラプーリを提供することである。
【課題を解決するための手段】
【０００５】
上記の課題を解決するために、この発明においては、軸の外周に嵌合した転がり軸受によってプーリを回転自在に支持し、前記軸の外周に設けられたフランジと、軸の端面に取付けられるダストカバーによって転がり軸受の両側面を覆うようにしたアイドラプーリにおいて、前記ダストカバーの内周部に軸側に向く円筒部を設け、この円筒部を前記軸の端面に形成された嵌合孔部に圧入した構成を採用したのである。
【発明の効果】
【０００６】
上記のように、ダストカバーの内周部に設けた円筒部を軸の端面に形成された嵌合孔部に圧入することによって、軸にダストカバーを一体化することができると共に、転がり軸受およびプーリも一体化することができる。
【０００７】
このため、軸内に挿入される軸固定用のボルトがアイドラプーリの組付け前に脱落しても部品にバラケが生じず、部品の欠落を防止することができる。
【０００８】
また、ダストカバーの圧入によって各部品が一体化されるため、ベルト伝動装置に対してアイドラプーリを容易に取付けることができる。
【発明を実施するための最良の形態】
【０００９】
以下、この発明の実施の形態を図面に基づいて説明する。図１および図２に示すように、軸１の端部外周には転がり軸受２が嵌合され、その転がり軸受２によってプーリ３が回転自在に支持されている。
【００１０】
転がり軸受２は、軸１の外周に設けられたフランジ１ａと軸１の端面に取付けられるダストカバー４とによって両側面が覆われる。
【００１１】
ダストカバー４は外周部が一側方に折れ曲がる皿状をなし、その内周部には転がり軸受２の内径面に嵌合される嵌合筒部４ａが設けられている。また、嵌合筒部４ａの先端には軸１の端面に衝合される衝合板部４ｂが内向きに形成され、その衝合板部４ｂの内周部に嵌合筒部４ａと同方向に向く円筒部４ｃが設けられている。
【００１２】
一方、軸１の端面には嵌合孔部５が設けられ、その嵌合孔部５に対する円筒部４ｃの圧入によって軸１にダストカバー４が一体化されている。
【００１３】
上記の構成から成るアイドラプーリにおいて、ダストカバー４の円筒部４ｃから軸１内にボルト６を挿入し、このボルト６をエンジンブロック等のプーリ取付け対象Ａにねじ込んで締付けることにより軸１が固定され、アイドラプーリは組付け状態とされる。
【００１４】
ここで、アイドラプーリにおいては、ダストカバー４の内周部に設けた円筒部４ｃを軸１の端面に形成された嵌合孔部５に圧入して軸１にダストカバー４を一体化しており、その一体化によって転がり軸受２およびプーリ３も一体化される。このため、組付け前の段階で軸固定用のボルト６が脱落してもダストカバー４等の部品がバラバラになることはなく、部品の欠落を防止することができると共に、アイドラプーリの組付け性も向上する。
【００１５】
実施の形態では、軸１の側面より転がり軸受２の一部を外方に突出させるようにしているため、ダストカバー４に嵌合筒部４ａを設けたが、転がり軸受２の側面が軸１の側面とほぼ同一となる組立て状態では上記嵌合筒部４ａを省略して、ダストカバー４の内周部に円筒部４ｃを設けるようにする。
【図面の簡単な説明】
【００１６】
【図１】この発明に係るアイドラプーリの実施の形態を示す縦断正面図
【図２】図１に示すアイドラプーリのダストカバーの圧入前の状態を示す縦断正面図
【符号の説明】
【００１７】
１      軸
２      転がり軸受
３      プーリ
４      ダストカバー
４ｃ    円筒部
５      嵌合孔部
【図１】
2006162035.tif 000003
【図２】
2006162035.tif 000004
(57)【要約】【課題】  つけ爪の固定に、シアノアクリレート系等の接着剤を用いる方法では、つけ爪の自爪と接する面に、適切な量の接着剤をつけることが比較的難しく、接着剤が多すぎたり、少なすぎたり、又は接着剤をつけ爪の表面につけてしまったり、手につけてしまったりと、適切な量の接着剤をつけるという点において、いろいろな不都合が生じやすい。また、両面テープを用いる方法では、長期間に渡って安定的に固定しておくのが困難である。【解決手段】  そこで本発明では、つけ爪本体１において自爪４と接する面に、接着剤を充填した多数のマイクロカプセル２を付着させたつけ爪を提案する。【選択図】      図３
2006006479.tif 000002
【特許請求の範囲】
【請求項１】
つけ爪本体において自爪と接する面に、接着剤を充填した多数のマイクロカプセルを付着させたことを特徴するつけ爪
【請求項２】
接着剤として、シアノアクリレート系接着剤を用いることを特徴とする請求項１に記載のつけ爪
【発明の詳細な説明】
【技術分野】
【０００１】
本発明は、装飾や自爪の保護等の目的で用いられるつけ爪に関するものである。
【背景技術】
【０００２】
装飾や自爪の保護等の目的で、自爪につけ爪を装着する方法としては、接着剤を用いる方法や、両面テープを用いる方法がある。
【０００３】
例えば特許文献１及び特許文献２には、人の爪の表面に所要の接着剤又は両面接着テープにより剥離自在に取り付けて使用するつけ爪が記載されている。
【特許文献１】実用新案登録第３０９１３６０号公報
【特許文献２】実用新案登録第３０９１３７８号公報
【発明の開示】
【発明が解決しようとする課題】
【０００４】
シアノアクリレート系等の接着剤を用いる方法では、つけ爪の自爪と接する面に、適切な量の接着剤をつけることが比較的難しく、接着剤が多すぎたり、少なすぎたり、又は接着剤をつけ爪の表面につけてしまったり、手につけてしまったりと、適切な量の接着剤をつけるという点において、いろいろな不都合が生じやすい。
【０００５】
一方、両面テープを用いる方法では、長期間に渡って安定的に固定しておくのが困難である。
【０００６】
またいずれの方法においても、つけ爪を爪につける際の位置の調整が比較的面倒である。
本発明はこのような課題を解決することを目的とするものである。
【課題を解決するための手段】
【０００７】
上述した課題を解決するために本発明では、つけ爪本体において自爪と接する面、即ち裏面に、接着剤を充填した多数のマイクロカプセルを付着させたつけ爪を提案する。
【０００８】
また本発明では、上記構成において、接着剤として、シアノアクリレート系接着剤を用いることを提案する。
【発明の効果】
【０００９】
本発明では、つけ爪本体を自爪に対して好みの位置に調整した後、つけ爪本体の表面側から圧力を加えることにより、マイクロカプセルを破壊して接着剤を流出させることができ、こうしてつけ爪本体を自爪に対して好みの位置で接着剤により固定することができる。
【００１０】
このようにつけ爪本体の裏面は、マイクロカプセルを破壊して接着剤を流出させない限り、接着性を示さないので、つけ爪本体を自爪に対して好みの位置に何度でも調整することができる。
【００１１】
またつけ爪本体の裏面には、予め適切な量の接着剤がマイクロカプセルに充填されているので、接着剤が多すぎたり、少なすぎたり、又は接着剤をつけ爪の表面につけてしまったり、手につけてしまったりという不都合は生じない。
【実施例１】
【００１２】
次に本発明の実施例を添付図面を参照して説明する。
図１、図２は本発明に係るつけ爪の実施例を示すもので、図１は斜視図、図２は図１のＡ−Ａ線断面図である。
符号１はつけ爪本体であり、本発明では、このつけ爪本体１において自爪と接する面、即ち裏面に、接着剤を充填した多数のマイクロカプセル２を付着させてつけ爪３を構成する。接着剤としては、例えば医療用等に使用されているシアノアクリレート系接着剤を使用するのが好適であり、またマイクロカプセル２は、適宜の大きさのものを適用することができる。
【００１３】
以上の構成において、本発明では、図３に示すように、つけ爪本体１を自爪４に対して好みの位置に調整した後、つけ爪本体１の表面側から圧力を加えることにより、マイクロカプセル２を破壊して接着剤を流出させることができ、こうしてつけ爪本体１を自爪４に対して好みの位置で接着剤により固定することができる。
【００１４】
このようにつけ爪本体１の裏面は、マイクロカプセル２を破壊して接着剤を流出させない限り、接着性を示さないので、つけ爪本体１を自爪４に対して好みの位置に何度でも調整することができる。
【００１５】
またつけ爪本体１の裏面には、予め適切な量の接着剤がマイクロカプセル２に充填されているので、接着剤が多すぎたり、少なすぎたり、又は接着剤をつけ爪の表面につけてしまったり、手につけてしまったりという不都合は生じない。
【産業上の利用可能性】
【００１６】
本発明は以上の通りであるので、接着剤を用いる方法の欠点であるところの、適切な量の接着剤をつけるという点において、いろいろな不都合が生じやすいという欠点を解決し、また接着剤であるから、両面テープを用いる方法における欠点であるところの、長期間に渡って安定的に固定しておくのが困難であるという欠点も解決できるもので、産業上の利用の可能性が大である。
【図面の簡単な説明】
【００１７】
【図１】本発明に係るつけ爪の説明的斜視図である。
【図２】図１のＡ−Ａ線矢視断面図である。
【図３】つけ爪を自爪に固定する際の状態を示す縦断説明図である。
【符号の説明】
【００１８】
１          つけ爪本体
２          マイクロカプセル
３          つけ爪
４          自爪
【図１】
2006006479.tif 000003
【図２】
2006006479.tif 000004
【図３】
2006006479.tif 000005
(57)【要約】      （修正有）【課題】  入浴方法と浴槽構造において、温水を使わないで泡だけを浴槽に満たして入浴する方法によって省エネルギー、省コスト、安全性を計る。【解決手段】  発泡装置３を浴槽２と一体的に構成し、又は発泡装置３と浴槽２を別に設置し、発泡装置３より泡１を供給して浴槽２内を泡１で満たして入浴する。【選択図】  図１
2006006866.tif 000002
【特許請求の範囲】
【請求項１】
泡だけを浴槽に満たして使用する気泡風呂
【発明の詳細な説明】
【発明の詳細な説明】
【発明の大略】
【００１】  本発明は入浴時において、温水を使わずに、泡だけを浴槽に満たして使用する気泡風呂に関するものである。
【従来の技術及び発明が解決しようとする課題】
【００２】  従来の風呂には、一般的に入浴方法として、和風スタイルと欧米スタイルがある。
【００３】  和風スタイルにおいては同じ湯を使って順次多人数が使用する。
そのため湯が汚れ易く不潔感があり、できるだけ湯を汚さないために浴槽内で体を洗わないことが習慣になっている。従って洗い場を浴槽外に設け、水洗器具は浴槽と洗い場で重複して設置している。
【００４】  欧米スタイルにおいては浴槽内の温水に洗剤入りの泡を浮かせた形式で、浴槽内で全身を洗う。この場合においても和風浴槽と同じく浴槽内は湯が主であり、泡は従である。湯及び泡は１回使用ごとに排水される。
【００５】  湯の中に気泡を噴出させてなる気泡風呂の形式が、従来より行われている。
この場合、浴槽の中は湯が主であり、気泡は従の関係にある。
【００６】  和風、欧米スタイルいずれにおいても以下の課題がある。
イ）    多量の水を使用する。
ロ）    水を湯にするために多量の熱エネルギーを必要とする。
ハ）    多量の重い水を満たした浴槽を支えるために堅牢な浴槽設備とそれを支える堅牢な建物構造が必要となる。
ニ）    浴槽を水で満たしていることによって老人、幼児の転落による溺死が発生する危険がある。
【００７】  そこで本発明は、前述した課題を解決する新規な入浴方法と浴槽構造を提案したものである。
【課題を解決する手段】
【００８】  本発明は泡だけ使った入浴方法と浴槽構造に関するものであって、浴槽に泡だけを満たして入浴することを特徴とする。
【実施の形態】
【００９】  浴槽に泡だけを満たして入浴するする本発明の方法において、泡を浴槽に供給する実施形態について説明する。実施形態は、泡１と浴槽２及び発泡装置３を組み合わせた例を示す。
【０１０】  図１は発泡装置３と浴槽２を一体的に構成し、その発泡装置３より泡１を供給する方法を示す。発泡装置３に水又は温水、発泡剤、洗剤６及び空気５を送り泡を発生させて泡の供給４を行い、浴槽２を泡１によって満たす。
【０１１】  図２は浴槽外に発泡装置３を設け、その発泡装置３より泡１を供給する方法を示す。発泡装置３には水又は温水、発泡剤、洗剤６及び空気５を送り泡１を発生させて泡の供給４を行い、浴槽２を泡１によって満たす。
【０１２】  図３は浴槽２内に発泡装置３を置き、その装置で発泡させた泡１を浴槽２に供給する方法を示す。発泡装置３には水又は温水、発泡剤、洗剤６及び空気５を送り、泡を発生させて泡の供給４を行い、浴槽２を泡１で満たす。
【０１３】  図４は浴槽２内にセットした発泡装置３を使って、浴槽２に貯めた泡１をつくるに必要な温水６を吸引して発泡する方法を示す。発泡装置３は温水６を汲み上げて挿入された５空気によって発泡する。発泡剤及び洗剤は温水６にあらかじめ混入してもよいし、別途発泡装置３に挿入してもいい。
【発明の効果】
【０１４】  本発明によってもたらされる効果は次の通りある。
【０１５】  泡を発生させるために使用する水はごく少量であり、節水が計られる。
【０１６】  温水をつくることに比べ温風をつくることは熱量が少なく、省エネルギー効果が生まれる。
【０１７】  浴槽内で全身を洗い、使用ごとに排水することから清潔さが保たれる。又、洗い場が不要なことから水洗器具の重複設置が不要となる。
【０１８】常に洗剤入りの泡が浴槽にあることから、浴槽の清掃手間が少なくなる。
【０１９】水を使用しないため浴槽が軽くなり、堅牢な浴槽設備と建物構造が不要となる
【０２０】浴槽に水を貯める必要がないため老人、幼児の転落による溺死が防げる。
【図面の簡単な説明】
【図１】  浴槽と発泡装置を一体的に構成し、浴槽に泡を満たした実施例。
【図２】  発泡装置を浴槽外部に設置し、泡を供給して浴槽に泡を満たした実施例。
【図３】  発泡装置を浴槽内に置き、発泡された泡で浴槽を満たした実施例。
【図４】  浴槽内にある泡をつくるに必要な水を発泡装置によって吸い上げて、浴槽に泡を満たした実施例。
【図１】
2006006866.tif 000003
【図２】
2006006866.tif 000004
【図３】
2006006866.tif 000005
【図４】
2006006866.tif 000006
(57)【要約】【課題】水量が移動することにより足の指表に圧力を掛けマッサージ効果を得られるサンダルを提供する。【解決手段】立ち仕事又は、座席に座りながらアーチ形を中心にかかとに体重を移動させることで、足の指表に圧力が掛かりそれにより水量が移動し、足の指表に水量が集合され５本の指に絡み付くように水量で圧力を掛けマッサージ効果が得られるサンダル。【選択図】図１
2006006865.tif 000002
【特許請求の範囲】
【請求項１】
サンダルにおいて、立ち仕事又は座り仕事の合間に足の裏のつちふまずをアーチ形にあて、そのアーチ形を中心に重心をかかとに掛けることにより、アーチ形を軸につまさきが上部に上がる運動が働き足の表に圧力が掛かり足の表の余水量が指の表５本に水量が移動し凹凸となり指の５本に絡み付くように圧力が掛かりマッサージ効果を得られるようにした足表マッサージ健康サンダル。
【発明の詳細な説明】
【技術分野】
【０００１】  本発明は、立ち仕事及び座って仕事をしている合間に足の裏つちふまずをアーチ形に乗せそれを中心に体重をかかとに体の重心を掛けることによりアーチ形を軸に、つまさきが上部に上がる運動が働き足の表に圧力が掛かりそれにより水量が移動し足の指表５本に水量が集合され５本の指に絡み付くように水量で圧力を掛けマッサージ効果が得られるサンダルに関するものである。
【背景技術】
【０００２】  従来、足の裏を水流の移動により、マッサージ効果を得るインソールがあった。
【発明の開示】
【発明が解決しようとする課題】
【０００３】  そのために、次のような問題点があった。
（イ）インソールに体全体に体重を掛け、歩くことにより体重の移動をしなければ足裏のマッサージ効果を得ることができない。
（ロ）立ち仕事をしながら又は座席に座ったまま足の表にマッサージ効果を得ることが成しえることができなかった。
本発明は、これらの問題を解決するためになされたものである。
【課題を解決するための手段】
【０００４】  健康サンダルにおいて立ち仕事や座席に座ったままつちふまずをアーチ形に乗せアーチ形を中心に体重をかかとに体の重心を掛けることによりアーチ形を軸につまさきが上部に上がる運動が働き足の表に圧力が掛かり足表の余水量が足の指表に移動し指表の形状に合わせ凹凸となり指表５本に絡み付くように水量が移動し、５本の指に圧力を掛けマッサージ効果が得られる。
又、つちふまずをアーチ形に乗せ、それを中心に体重をつまさきに体の重心を掛けると５本の指表に絡み付いていた凹凸はもとの余水袋に水量が移動する。
以上を特徴とする足表マッサージ健康サンダルである。
【発明の効果】
【０００５】  立ち仕事又は座席に座ったまま、つちふまずをアーチ形に乗せそれを中心に体重をかかとに体の重心を掛けることにより、アーチ形を軸につまさきが上部にあがる運動が働き足の表に圧力が掛かり足表の余水量が移動し指表５本に水量が移動し凹凸となり指表５本に絡み付くように圧力が掛かりマッサージ効果を得る。
立ち仕事又は座席に座ったままマッサージ効果が得られることにより、八風のつぼには、むくみ・高血圧・冷え性・低血圧・不眠、隠白のつぼには、食欲不振・生理痛・生理不順を刺激し仕事をしながら効果が得られる。
【発明を実施するための最良の形態】
【０００６】  以下、本発明の実施の形態について説明する。
（イ）本体にアーチ形（１）を設け、かかと（２）の形状の形を設ける。
（ロ）余水袋（３）の先端に足の指５本に受け入れ袋（４）を設け、その保護具としてカバー（５）を合体させる。
本発明は以上のような構造で、これを使用するときは、立ち仕事をしている合間、又座席に座って仕事をしている合間につちふまずをアーチ形（１）に乗せ、それを中心に体重をかかと（２）に体の重心を掛けることによりアーチ形（１）を軸につまさきが上部に上がる運動が働き足の表に圧力が掛かり足表の余水袋（３）の水量が圧力で受け入れ袋（４）に水量が集中し、指と指の間が広がり、足の５本の指に凹凸で絡み付くのと同時に足表の側面にも水量の圧力でマッサージ効果が生まれ、母指と示指の間、中指と環指の間、環指と小指の間の八風のつぼは、むくみ・高血圧・冷え性・低血圧・不眠、又は母指の側面の隠白のつぼには食欲不振・生理痛・生理不順を刺激を受けることができる。
【実施例１】
【０００７】  図７に示すように、余水袋（３）及び受け入れ袋（４）の代わりに、天然ゴム凹凸（６）を設けてもよい。
天然ゴム凹凸（６）を設けることで、足の表は皮膚が薄いため、少ない圧力でマッサージ効果が得られるため、座席に座っても効果が得られる。
【図面の簡単な説明】
【０００８】
【図１】本発明の斜視図
【図２】本発明の要部を示す分解斜視図
【図３】本発明の使用状態を示す側面図
【図４】本発明の使用状態を示す側面図
【図５】本発明の他の実施例を示す斜視図
【図６】本発明の他の実施例を示す一部断面斜視図
【図７】本発明の他の実施例を示す一部断面側面図
【図８】本発明の他の実施例を示す一部断面側面図
【符号の説明】
【０００９】    １アーチ形
２かかと
３余水袋
４受け入れ袋
５カバー
６天然ゴム凹凸
【図１】
2006006865.tif 000003
【図２】
2006006865.tif 000004
【図３】
2006006865.tif 000005
【図４】
2006006865.tif 000006
【図５】
2006006865.tif 000007
【図６】
2006006865.tif 000008
【図７】
2006006865.tif 000009
【図８】
2006006865.tif 000010
(57)【要約】【課題】毛布に毛布カバーを固定するためのクリップを提供する。【解決手段】毛布の上端の両側２箇所と下端両側の２箇所において、厚みのある毛布の縁（へり）部分の外縁に軟質チューブにおさめたクリップのバネ機構部を沿わせながら、縁（へり）部分を毛布カバー越しにクリップの針金枠でとめる。【選択図】図１
2006006863.tif 000002
【特許請求の範囲】
【請求項１】
毛布の縁（へり）部分の外縁に、軟質チューブにおさめたバネ機構部を沿わせ、バネ機構部でつながった二つの、表側枠と裏側枠で毛布の縁（へり）部分をカバー越しにはさみこむことによって毛布にカバーを固定するクリップ。
【請求項２】
直線状のばね線を折り曲げて一回転させて、折り曲げ点に小さな目をつくったのち、目を取り囲むように、さらに折り曲げて、目から離れたところで折り曲げ点両側のばね線を交差させ、交差位置の外側で、両方のバネ線を、それぞれ交差している二本のバネ線に対して、同方向にほぼ直角に折り曲げ、折り曲げたバネ線端末を交差させながら、バネ力に抗して開くクリップのバネ機構。
【発明の詳細な説明】
【技術分野】
【０００１】  本発明は毛布に、毛布カバーや襟カバーなどを固定するためのクリップに関するものである。
【背景技術】
【０００２】  一般の毛布は、布団のようにカバー内部で四隅を紐でとめる構造になっていないので、毛布全体を覆う毛布カバーをかけると、カバー内部で毛布が移動したり、よじれたりすることがあった。【０００３】  また、毛布の上部のみを覆う襟カバーを毛布に固定するには、縫い糸や大型安全ピンが使われてきたが、糸で縫いつけるには手間がかかり、大型安全ピンははずれやすく、はずれた際には針先がとびだして危険であった。
【発明の開示】
【発明が解決しようとする課題】
【０００４】  本発明は、毛布の縁（へり）部分（１２）をカバー越しに容易にはさみ込むことができ、かさばらず、カバーをしっかり固定できて安全なクリップを提供しようとするものである。
【課題を解決するための手段】
【０００５】  上記目的を達成するために、細いバネ線でつくられた、ほぼ四辺形の針金枠を有するクリップ（図１）４個を用いて、カバーをかけた毛布両側の縁（へり）部分（１２）の上端二箇所と下端の二箇所をはさみこむことによって、毛布とカバーを固定する（図６）。【０００６】  毛布に襟カバーをつける際には、毛布幅全体を覆う襟カバーを毛布上端に被せ、襟カバー越しに毛布上部両側の縁部分に針金枠のクリップ（図１）を挟み込んでとめる。【０００７】  軟質チューブにおさめられて四辺形の一辺をなす、クリップのバネ機構部（１）を幅４ないし５センチメートルの毛布の縁（へり）部分（１２）の外縁にそわせながら、毛布の縁（へり）部分を表側と裏側から、四辺形の三辺をなす二つの、それぞれ毛布に接する側に湾曲したコの字形の表側針金枠（３）と裏側針金枠（４）でカバー越しにはさみこむ（図６）。
【発明の効果】
【０００８】  毛布地より厚みのある縁（へり）部分（１２）を湾曲したコの字形の針金枠で厚みにそってはさみ込み、やわらかいチューブにおさめたバネ機構部（１）を毛布の縁部分の外縁にそわせるので、クリップはかさばらず、毛布の使用中にほとんど邪魔にならない。【０００９】  両手でクリップをひらいて、カバーをかけた毛布の上から縁（へり）部分（１２）をはさみこむことによって容易にカバーの固定ができ、クリップの適度な重みにより、使用中の毛布端めくり上がりの防止もできる。
【発明を実施するための最良の形態】
【００１０】  以下に本発明の実施の形態について説明する。
（イ）毛布の表側と裏側をはさむコの字型の針金枠（３、４）の、同じ側にある二本の        端末（６）は反対側にある端末の方に、それぞれ直角に折り曲がり、交差したの        ち一回転して小さな目（５）をつくってつながり、バネ機構部分の一方を構成し        ている。
（ロ）反対側にあるコの字形針金枠の端末も、これと対称的であるが同様なバネ構成を        なして相互につながっており、二つのバネ機構部は小さな目（５）をつき合わせ        た状態となっている。
（ハ）軟質のチューブ片（７）の両側から二つのバネ機構部（２）を、それぞれ差し込        んで、相互に連結している。
（ニ）裏側をはさむコの字形針金枠（４）は表側のもの（３）より小さくつくられてい        て、表側針金枠の、バネ機構部（２）の対辺にあたる部分にはＵ字形のくぼみ（        ８）があり、裏側針金枠のこれに対応する部分は直線状になっていて、クリップ        を使用しない場合にはクリップの先端部（９）どうしが突き合わさるようになっ        ている。
（ホ）表側と裏側の針金枠（３、４）は、ふくらんでいる毛布の縁（へり）部分（１２        ）に沿うように、それぞれ内側に湾曲しており、クリップの先端部（９）は毛布        地と縁（へり）部分の境目を押さえ込むようになっている。【００１１】  本クリップは以上のような構成になっており、これを使用するときには、湾曲している表側と裏側の針金枠の枠側部分（１０）をそれぞれ右手と左手で持ち、バネ力に抗して先端部（９）を開き、クリップの先端にＵ字形くぼみ（８）のある針金枠が毛布の表側を押さえ込むようにして、カバーをかけた上から毛布両側の上端および下端の縁（へり）部分にはさみこむ（図６）。
【図面の簡単な説明】
【００１１】
【図１】本発明クリップの斜視図
【図２】本発明クリップのバネ線部分と軟質チューブの斜視図
【図３】本発明クリップの平面図
【図４】本発明クリップの立面図
【図５】本発明クリップの側面図
【図６】本発明クリップの取り付け位置図
【符号の説明】
【００１２】    １    軟質チューブ片におさめたバネ機構部
２    バネ機構部
３    表側枠
４    裏側枠
５    小さな目
６    枠端末
７    軟質チューブ片
８    Ｕ字形くぼみ
９    先端部
１０  枠側部
１１  毛布
１２  毛布の縁（部分）
１３  本発明クリップ
【図１】
2006006863.tif 000003
【図２】
2006006863.tif 000004
【図３】
2006006863.tif 000005
【図４】
2006006863.tif 000006
【図５】
2006006863.tif 000007
【図６】
2006006863.tif 000008
(57)【要約】【課題】任意のランチボックスをカバーの内側でしっかり固定して包んで持ち運び，展開してランチョンマットとして衛生的に食事をすることができるランチボックスカバーを提供する。【解決手段】カバーを展開自在にし，防水性の内シートに，任意のランチボックスを固定する面ファスナー付きひもテープ，箸箱を固定する面ファスナー付きひもテープ，小物を収納するポケットを設置し，外シートには取っ手，スナップを付け，バックの形態で持ち運ぶことができるカバー。【選択図】図２
2006006864.tif 000002
【特許請求の範囲】
【請求項１】
任意のランチボックスを置いた状態で対向する両辺部の支持でつり下げられるシート本体と，シート本体の両側部に設けられたランチボックスを覆うように折り返す側面カバーと，シート本体にランチボックスを固定するボックス固定機構と，側面カバーを固定する側面固定機構とシート本体の両端に設けられた取っ手により構成されるランチボックスカバー。
【請求項２】
ランチボンクス置載状態でランチボックスに接する面を防水シートとしたことを特徴とする請求項１記載のランチボックスカバー。
【発明の詳細な説明】
【技術分野】
【０００１】  本発明は，カバーの内側にボックスケース固定用の面ファスナー付きベルトを設置し，自在に展開して使用するカバー用品に関するものである。
【背景技術】
【０００２】  従来，ランチボックスケースのサイズに合わせ，密着して固定させるカバー用品があった。また多くは，ランチボックスを輪ゴムで押さえ，バッグ式のカバーに入れて持ち運びするものがあった。
【発明の開示】
【発明が解決しようとする課題】
【０００３】  そのために，次のような問題点があった。
（イ）ボックスケースのふたが開かないようにするために，ケースに密着したカバー        を使用することが多い。すると形状の異なったボックスケースには対応すること        ができず，ケースの形状に合わせて複数のカバーが必要であった。
（ロ）ボックスケースに密着型のケースには持ち手が着いていないので，他のカバン        等に入れて持ち運ばなければならないので不便であった。
（ハ）輪ゴムでは，ボックスケースや箸箱自体を固定することができるが，小さいも        のなので，幼い子どもなどはよく無くしてしまうことがある。
本発明は，これらの問題を解決するためになされたものである。
【課題を解決するための手段】
【０００４】  任意のランチボックスを置いた状態で対向する両辺部の支持でつり下げられるシート本体と，シート本体の両側部にランチボックスを覆うように折り返す側面カバーにより構成され，対向部に付いたスナップによりバックの形状から展開自在になる。
バックを展開するとハンカチを広げた状態になる。中央に面ファスナー付きベルトが設置しており，ランチボックスを固定する。箸箱を固定する面ファスナー付きベルトや小物を入れるポケットも設置する。さらにランチボックスに接する面を防水シートとすることで機能的かつ衛生的なカバー用品である。
【発明の効果】
【０００５】  面ファスナー付きベルトでランチボックスを固定するので，ふたが開く不安がなく持ち運びしやすい。バッグを展開して広げると防水性シートのランチョンマットに代わるので，そのままカバーの上で食事をすれば，万が一食べこぼしがあってもきれいにふき取れ，机やテーブルを汚すことも少なくなる。
【発明を実施するための最良の形態】
【０００６】以下，本発明の実施の形態について説明する。
（イ）本発明におけるシート本体は，外シートと内シートにより構成されている。任意        のランチボックスを置いた状態でつり下げられる長方形の外シート本体（１）と        ランチボックスを左右から折り返して覆う側面の付いた内シート本体（２）の二        枚重ねにする。外シート本体の両端にはベルトの取っ手（３）を付ける。
内シート本体は防水性シートにする。
（ロ）内シート本体（２）の中央にボックスケース固定用の長いベルト（４）を中央で        内シートに固定する。ベルトの両端にはそれぞれの大きさのボックスに対応でき        るよう長めに面ファスナー（５）を付ける。少し離したところに箸箱を固定する        短い面ファスナー付きのベルト（６）を取り付ける。また箸箱固定用のテープの        対向面にポケット（７）を設置し，小物類が収納できるようにする。
（ハ）内シート本体（２）の左右折り返し側面の両側裏面に短い面ファスナー付きベル        ト（８）を取り付ける。
（ニ）バッグ形態にするためのスナップ（９）を取っ手付近両端に付ける。
本発明は以上のような構成で，これを使用するときは，中央の長い面ファスナー付きベルト（４）でランチボックスをしっかり固定する。同じように箸箱も面ファスナー付きベルト（６）でしっかり固定する。ポケット（７）には，ふりかけやしょうゆなどの小物を収納する。必要なものを取り付けたら，左右両辺のシートでボックスケースを覆い，面ファスナー付きベルト（８）で固定する。取っ手付近に付いているスナップ（９）を合わせるとバックの形態になりそのまま持ち運びができる。
食事をするときはバックを開き，カバーを展開した状態にしてそのままランチョンマット代わりに使用する。防水性シートなので，こぼしたり汚したりしてもすぐに拭き取ることができ衛生的である。
機能的なカバーを使うことにより，準備や後片づけも楽しく行うことができ，昼食の楽しみが倍増する。
【図面の簡単な説明】
【０００７】
【図１】本発明の分解図
【図２】本発明の平面図
【図３】本説明の実施を示す斜視図
【図４】本説明の実施を示す斜視図
【図５】本説明の実施を示す斜視図
【符号の説明】
【０００８】    １  外シート
２  内シート
３  取っ手
４  ランチボックス固定用ベルト
５  面ファスナー
６  箸箱固定用ベルト
７  小物収納ポケット
８  シート固定用ベルト
９  スナップ
【図１】
2006006864.tif 000003
【図２】
2006006864.tif 000004
【図３】
2006006864.tif 000005
【図４】
2006006864.tif 000006
【図５】
2006006864.tif 000007